(57)【要約】【課題】ユーザの入力に従って処理を行う場合に、処理が行うための状態をユーザに伝達する。【解決手段】デジタルテレビジョン放送受信装置１００は、電源点灯部１５ａと、電源スイッチ１７と、電源スイッチ１７に対する入力を受け続けている入力時間が、１０秒を経過したか否かを判別する時間判別部７０３と、入力時間が１０秒を経過したと判別された場合に、電源点灯部１５ａを緑点灯するよう制御する点灯制御部７０５と、電源スイッチ１７に対する入力の終了を検出する検出部７０６と、入力時間が１０秒以上と判別されるとともに、検出部７０６がスイッチに対する入力の終了を検出した場合に、デコーダデバイス３０４に対する初期化処理を行う初期化部７０８と、を備える。【選択図】図７
2010206325.tif 000002
【特許請求の範囲】
【請求項１】
任意の装置の動作状態を示すインジケータと、
利用者からの入力を受け付けるスイッチと、
前記スイッチに対する入力を受け続けている入力時間が、第１の所定時間を経過したか否かを判別する時間判別手段と、
前記入力時間が第１の所定時間を経過したと判別された場合に、前記インジケータを第１の点灯パターンで点灯するよう制御する点灯制御手段と、
前記スイッチに対する入力の終了を検出する検出手段と、
前記入力時間が前記第１の所定時間以上と判別されるとともに、前記検出手段がスイッチに対する入力の終了を検出した場合に、予め定められた第１の処理を行う処理手段と、
を備えることを特徴とする電子装置。
【請求項２】
前記時間判別手段は、さらに、前記入力時間が、前記第１の所定時間より時間が長い第２の所定時間を経過したか否かを判別し、
前記点灯制御手段は、さらに、前記入力時間が第２の所定時間を経過したと判別された場合に、前記インジケータを第２の点灯パターンで点灯するよう制御し、
前記処理手段は、前記入力時間が前記第１の所定時間以上で前記第２の所定時間より短いとともに、前記検出手段が入力の終了を検出した場合に、前記第１の処理を行い、前記入力時間が前記第２の所定時間以上であるとともに、前記検出手段が入力の終了を検出した場合に、予め定められた第２の処理を行うこと、
を特徴とする請求項１に記載の電子装置。
【請求項３】
前記スイッチは、前記電子装置に電力の供給の有無を切り替える電源スイッチであり、
前記処理手段が行う前記第１の処理は、前記電子装置に含まれている機能ブロックに対する初期化処理であること、
を特徴とする請求項１又は２に記載の電子装置。
【請求項４】
前記処理手段が前記第１の処理をおこなった後、表示部に対して、前記第１の処理を行ったことを表す表示画面の表示制御を行う表示制御手段を、
さらに備えることを特徴とする請求項１乃至３のいずれか一つに記載の電子装置。
【請求項５】
前記時間判別手段が判断の基準として用いる前記第１の所定時間が１０秒以上であること、
を特徴とする請求項１乃至４のいずれか一つに記載の電子装置。
【請求項６】
電子装置で実行される制御方法であって、
電子装置は、任意の装置の動作状態を示すインジケータと、利用者からの入力を受け付けるスイッチと、を備え、
時間判別手段が、前記スイッチに対する入力を受け続けている入力時間が、第１の所定時間を経過したか否かを判別する時間判別ステップと、
点灯制御手段が、前記入力時間が第１の所定時間を経過したと判別された場合に、前記インジケータを第１の点灯パターンで点灯するよう制御する点灯制御ステップと、
検出手段が、前記スイッチに対する入力の終了を検出する検出ステップと、
処理手段が、前記入力時間が前記第１の所定時間以上と判別されるとともに、前記検出ステップがスイッチに対する入力の終了を検出した場合に、予め定められた第１の処理を行う処理ステップと、
を含むことを特徴とする制御方法。
【発明の詳細な説明】
【技術分野】
【０００１】
本発明は、ユーザの入力に基づいて処理を行う電子装置、及び制御方法に関する。
【背景技術】
【０００２】
近年、テレビジョン放送のデジタル化が推進されている。これに伴い、デジタル放送であるデジタル信号を処理するデコーダデバイスなどが搭載されたデジタルテレビジョン放送受信装置の普及率が向上している。
【０００３】
デジタルテレビジョン放送受信装置では、何らかの理由でデジタル信号を処理しているデコーダデバイスの処理が不安定になる場合がある。この場合の例としては、システムの制御を行っているマイコン(ＴＶマイコン)とデコーダデバイスとの間の通信に失敗したため、デコーダデバイスに対する操作が効かなくなる場合などが考えられる。
【０００４】
このような状況に陥った場合に、デジタルテレビジョン放送受信装置の動作を正常な状態にもどすためには、処理が不安定になったデバイスを初期化すればよい。
【０００５】
従来のデジタルテレビジョン放送受信装置では、本体の電源ボタンを押下して、主電源をＯＦＦ状態にした状態でも、完全に電源の供給が停止したわけではない。例えば、リモートコントローラや、フロントパネルのスイッチなどの制御を行うＴＶマイコンは、デジタルテレビジョン放送受信装置の状態に基づいて、デコーダデバイスに対して電力を供給している。そして、ＴＶマイコンは、デコーダデバイスの電源をＯＦＦにしたい場合に、デコーダデバイスと通信を行った上で、当該デコーダデバイスの電源をＯＮ／ＯＦＦ制御している。
【０００６】
そのため、上述のようにデコーダデバイスとの間で通信が破綻しているような場合、ＴＶマイコンデコーダデバイスに対する初期化を行えないこともある。このような場合、デジタルテレビジョン放送受信装置のコンセントを抜くなどして、電源の供給を完全に停止させることで、デジタルテレビジョン放送受信装置の初期化を行うことが必要となる。
【０００７】
しかしながら、コンセントを抜くのは、コンセントの場所は、他のコンセントとの混同などにより難しい場合も存在する。そこで、特許文献１では、所定時間以上押下し続けた場合に、マイクロコンピュータをリセット（初期化）する手法が提案されている。
【先行技術文献】
【特許文献】
【０００８】
【特許文献１】特開２００２−３６７２７０号公報
【発明の概要】
【発明が解決しようとする課題】
【０００９】
しかしながら、特許文献１に記載された技術では、押下してから初期化が開始されるまでの間に何ら情報の提示が行われないため、どの程度時間が経過したのかわからず、処理（リセット）が行われるのか否かわかりにくいという問題が生じる。
【００１０】
本発明は、上記に鑑みてなされたものであって、処理を行うための状態をユーザに伝達する電子装置、及び制御方法を提供することを目的とする。
【課題を解決するための手段】
【００１１】
上述した課題を解決し、目的を達成するために、本発明にかかる電子装置は、任意の装置の動作状態を示すインジケータと、利用者からの入力を受け付けるスイッチと、前記スイッチに対する入力を受け続けている入力時間が、第１の所定時間を経過したか否かを判別する時間判別手段と、前記入力時間が第１の所定時間を経過したと判別された場合に、前記インジケータを第１の点灯パターンで点灯するよう制御する点灯制御手段と、前記スイッチに対する入力の終了を検出する検出手段と、前記入力時間が前記第１の所定時間以上と判別されるとともに、前記検出手段がスイッチに対する入力の終了を検出した場合に、予め定められた第１の処理を行う処理手段と、を備えることを特徴とする。
【００１２】
また、本発明にかかる制御方法は、電子装置で実行される制御方法であって、電子装置は、任意の装置の動作状態を示すインジケータと、利用者からの入力を受け付けるスイッチと、を備え、時間判別手段が、前記スイッチに対する入力を受け続けている入力時間が、第１の所定時間を経過したか否かを判別する時間判別ステップと、点灯制御手段が、前記入力時間が第１の所定時間を経過したと判別された場合に、前記インジケータを第１の点灯パターンで点灯するよう制御する点灯制御ステップと、検出手段が、前記スイッチに対する入力の終了を検出する検出ステップと、処理手段が、前記入力時間が前記第１の所定時間以上と判別されるとともに、前記検出ステップがスイッチに対する入力の終了を検出した場合に、予め定められた第１の処理を行う処理ステップと、を含むことを特徴とする。
【発明の効果】
【００１３】
本発明によれば、スイッチの入力が続けられている場合に、第１の点灯パターンで点灯することで、実行される第１の処理をユーザに認識させることができるという効果を奏する。
【図面の簡単な説明】
【００１４】
【図１】図１は、デジタルテレビジョン放送受信装置の正面側の外観を示す図である。
【図２】図２は、デジタルテレビジョン放送受信装置の表示灯部の外観を示した図である。
【図３】図３は、デジタルテレビジョン放送受信装置の側面側の外観を示す図である。
【図４】図４は、デジタルテレビジョン放送受信装置の側面の操作部の外観を示した図である。
【図５】図５は、デジタルテレビジョン放送受信装置のハードウェア構成について説明する図である。
【図６】図６は、操作部又はリモートコントローラによる操作が行われた場合の電源点灯部の変化を示した説明図である。
【図７】図７は、第１の実施の形態にかかるデジタルテレビジョン放送受信装置の制御部で実現される、任意の機能ブロック（デバイス）を初期化するためのソフトウェア構成を示すブロック図である。
【図８】図８は、電源スイッチを押し続けた場合の電源点灯部の点灯の変化を示した図である。
【図９】図９は、デジタルテレビジョン放送受信装置の表示制御部により表示される初期化終了後の画面例を示す図である。
【図１０】図１０は、第１の実施の形態にかかるデジタルテレビジョン放送受信装置における、電源ボタンの押下が行われた場合の処理の手順を示すフローチャートである。
【図１１】図１１は、第１の実施の形態にかかるデジタルテレビジョン放送受信装置におけるブート時の処理の手順を示すフローチャートである。
【図１２】図１２は、第２の実施の形態にかかる、デジタルテレビジョン放送受信装置に含まれる任意の機能ブロックを初期化するためのソフトウェア構成を示すブロック図である。
【図１３】図１３は、初期化管理テーブルのテーブル構造を示す図である。
【図１４】図１４は、第２の実施の形態にかかるデジタルテレビジョン放送受信装置における、電源スイッチの押下が行われた場合の処理の手順を示すフローチャートである。
【図１５】図１５は、第２の実施の形態にかかるデジタルテレビジョン放送受信装置における、チューナデバイスのブート時の処理の手順を示すフローチャートである。
【発明を実施するための形態】
【００１５】
以下に添付図面を参照して、この発明にかかる電子装置、及び制御方法の最良な実施の形態を詳細に説明する。
【００１６】
（第１の実施の形態）
図１は、第１の実施の形態で説明するデジタルテレビジョン放送受信装置１００の正面側の外観を示す図である。
【００１７】
図１に示すように、デジタルテレビジョン放送受信装置１００は、主として、装置本体となるほぼ四角形状に形成された薄型のキャビネット１１と、当該キャビネット１１を起立させて支持するスタンド１２と、から構成されている。
【００１８】
キャビネット１１は、平面型の液晶表示パネル１３と、右側スピーカ１４ａと、左側スピーカ１４ｂと、表示灯部１５と、リモートコントローラから送信される操作情報を受信する受光部１６と、を備えている。
【００１９】
図２は、表示灯部１５の外観を示した図である。図２に示すように、本実施の形態は、デジタルテレビジョン放送受信装置１００の様々な動作状態（ステータス）を示すためのインジケータとして、表示灯部１５が、ＬＥＤによる複数の点灯部を備えた例とする。図２に示すように、表示灯部１５は、電源点灯部１５ａと、録画／ダビング点灯部１５ｂと、ハードディスク点灯部１５ｃと、オンタイマー点灯部１５ｄとを備えている。電源点灯部１５ａは、デジタルテレビジョン放送受信装置１００の電源からの電力供給状態を表す点灯がなされる。
【００２０】
録画／ダビング点灯部１５ｂは、デジタルテレビジョン放送受信装置１００の録画／ダビングが行われているか否かを表す点灯がなされる。ハードディスク点灯部１５ｃは、ハードディスクの動作状態を表す点灯がなされる。オンタイマー点灯部１５ｄは、録画や視聴を行うためのタイマー設定がなされているか否かを表す点灯がなされる。
【００２１】
図３は、第１の実施の形態で説明するデジタルテレビジョン放送受信装置１００の側面側の外観を示す図である。
【００２２】
図３に示すように、デジタルテレビジョン放送受信装置１００には、キャビネット１１の側面に電源スイッチ１７と、各種操作スイッチ１８を含む操作部３０が設けられている。電源スイッチ１７は、デジタルテレビジョン放送受信装置１００に電力の供給の有無を切り替えるスイッチとする。
【００２３】
図４は、操作部３０の外観を示した図である。図４に示すように、操作部３０は、電源スイッチ１７の他に、各種操作スイッチ１８として、チャンネルボタン１８ａと、音量ボタン１８ｂと、入力切替ボタン１８ｃと、放送切替ボタン１８ｄとを備えている。各種操作スイッチは、従来と同様の機能を有するものとして説明を省略する。
【００２４】
次に、デジタルテレビジョン放送受信装置１００のハードウェア構成について説明する。図５は、デジタルテレビジョン放送受信装置１００のハードウェア構成を示すブロック図である。
【００２５】
ＢＳ／ＣＳデジタル放送受信用のアンテナ３０１で受信した衛星デジタルテレビジョン放送信号は、入力端子３０２を介して衛星デジタル放送用のチューナデバイス３０３に供給される。
【００２６】
チューナデバイス３０３は、制御部３０６からの制御信号により所望のチャネルの放送信号を選局し、この選局された放送信号をデコーダデバイス３０４に出力する。
【００２７】
デコーダデバイス３０４は、制御部３０６からの制御信号により、チューナデバイス３０３で選局された放送信号を復調し、所望の番組のデジタルの映像信号及び音声信号をデパケットすることにより生成する。
【００２８】
さらに、デコーダデバイス３０４は、生成されたデジタルの映像信号及び音声信号に対して、選択的に所定のデジタル信号処理を施し、グラフィック処理部３０５及び音声処理部３０９に出力している。さらに、デコーダデバイス３０４は、生成したデジタルの映像信号及び音声信号を、制御部３０６に出力することもできる。
【００２９】
そして、番組録画時には、制御部３０６、デコーダデバイス３０４からそれぞれ供給されたデジタルの映像信号及び音声信号に対して、選択的に所定のデジタル信号処理を施した信号を、ＨＤＤ３０８に記録している。また、デコーダデバイス３０４は、録画番組再生時には、制御部３０６を介してＨＤＤ３０８から読み出された録画番組のデータに、所定のデジタル信号処理を施し、グラフィック処理部３０５及び音声処理部３０９に出力している。
【００３０】
制御部３０６は、電子番組ガイド（ＥＰＧ）情報、又はリモートコントローラ５５０及び各種操作スイッチ１８の操作に基づいて、ＥＰＧ、字幕を表示するため画像生成を行い、この生成した画像情報をグラフィック処理部３０５に出力すると共に表示指示する。
【００３１】
また、この制御部３０６は、番組録画および番組予約録画を制御する機能を有し、番組予約受付時には、液晶表示パネル１３に電子番組ガイド（ＥＰＧ）情報を表示し、リモートコントローラ５５０等を介したユーザ入力により予約内容を、不揮発性メモリ３１４に設定する。そして、設定された時刻に予約番組を録画するようチューナデバイス３０３，デコーダデバイス３０４を制御する。
【００３２】
グラフィック処理部３０５は、デコーダデバイス３０４内のＡＶデコーダ（図示せず）から供給されるデジタルの映像信号と、制御部３０６により生成されたＥＰＧ、字幕信号とを合成し、合成したデジタルの映像信号を、液晶表示パネル１３で表示可能なアナログ映像信号に変換した後、液晶表示パネル１３に出力して映像表示させる。また、字幕放送による字幕を表示するとき、グラフィック処理部３０５は、制御部３０６からの制御による字幕情報に基づき、映像信号上に字幕情報を重畳する処理を行う。
【００３３】
また、上記音声処理部３０９は、入力されたデジタルの音声信号を、スピーカ１４ａ、１４ｂで再生可能なアナログ音声信号に変換した後、スピーカ１４ａ、１４ｂに出力して音声を再生させる。
【００３４】
本体電源回路３０７は、電源切替回路３２１を備え、チューナデバイス３０３、デコーダデバイス３０４、液晶表示パネル１３、ＨＤＤ３０８及び制御部３０６など、デジタルテレビジョン放送受信装置１００に含まれる全ての機能ブロックに電力を供給する。なお、本体電源回路３０７は、電力を供給する手法として、例えばＡＣアダプタなど、あらゆる手法を用いてよい。
【００３５】
電源切替回路３２１は、制御部３０６からの電源制御信号に従って、本体電源回路３０７がチューナデバイス３０３、及びデコーダデバイス３０４のいずれか一つ以上に対して電力を供給するか否かの切替を行う。なお、この電源制御信号は、制御部３０６の処理結果に応じて入力される。
【００３６】
なお、電源切替回路３２１は、デジタルテレビジョン放送受信装置１００内の全ての機能ブロックに対して電力が供給されるようにしているが、チューナデバイス３０３、又はデコーダデバイス３０４に対して電源供給を停止し、これら機能ブロックの初期化を行うものとする。
【００３７】
ここで、このデジタルテレビジョン放送受信装置１００は、上記した各種の受信動作を含むその全ての動作を制御部３０６によって統括的に制御されている。この制御部３０６は、ＣＰＵ（Central  Processing  Unit）等を内蔵しており、リモートコントローラ５５０等から送出された操作情報を、受光部１６を介して受信し、その操作内容（例えば、チャネル切換操作など）が反映されるように各部をそれぞれ制御している。
【００３８】
リモートコントローラ５５０は、電源ボタン５５１等の各種操作ボタンを備えている。なお、リモートコントローラ５５０の電源ボタン５５１と、デジタルテレビジョン放送受信装置１００の側面側の操作部３０の電源スイッチ１７とでは機能が異なる。
【００３９】
また、制御部３０６は、電源スイッチ１７、各種操作スイッチ１８及び受光部１６から入力された信号に基づいて、各種スイッチのステータス及び利用者による操作情報を取得する。さらに、制御部３０６は、表示灯部１５に備えられた各種点灯部の点灯制御を行う。
【００４０】
この場合、制御部３０６は、主として、ＣＰＵ３１３と、当該ＣＰＵ３１３が実行する制御プログラムを格納したＲＯＭ（Read  Only  Memory）３１１と、当該ＣＰＵ３１３に作業エリアを提供するＲＡＭ（Random  Access  Memory）３１２と、各種の設定情報、制御情報及び番組情報等が格納されるフラッシュメモリなどの不揮発性メモリ３１４と、を利用している。なお、制御プログラムには、初期化制御プログラムも含まれている。
【００４１】
次に、通常通りにユーザに操作部３０等を用いて操作が行われた場合に、変化する電源点灯部１５ａの点灯について説明する。図６は、操作部３０又はリモートコントローラ５５０による操作が行われた場合の電源点灯部１５ａの変化を示した説明図である。図６に示すように、電源点灯部１５ａは、符号６０１で示されるように、電源が‘ＯＦＦ’では電源点灯部１５ａは点灯しない。そして、操作部３０の電源スイッチ１７が一回押下された場合に、符号６０２に示すように、デジタルテレビジョン放送受信装置１００の電源が‘ＯＮ’となり、電源点灯部１５ａが緑に点灯する。この状態で、再び操作部３０の電源スイッチ１７が押下された場合には、電源が‘ＯＦＦ’となり、再び符号６０１に示されるように、電源点灯部１５ａが消灯する。
【００４２】
一方、符号６０２に示すように、デジタルテレビジョン放送受信装置１００の電源が‘ＯＮ’の状態で、リモートコントローラ５５０の電源ボタン５５１が一回押下された場合に、符号６０３に示すように、デジタルテレビジョン放送受信装置１００の電源が待機状態となり、電源点灯部１５ａが赤に点灯する。この状態で、再びリモートコントローラ５５０の電源ボタン５５１が押下された場合には、電源が‘ＯＮ’となり、再び符号６０２に示されるように、電源点灯部１５ａが緑に点灯する。
【００４３】
図７は、デジタルテレビジョン放送受信装置１００の制御部３０６で実現される、任意の機能ブロック（デバイス）を初期化するためのソフトウェア構成（初期化制御プログラム）を示すブロック図である。図７に示すように、デジタルテレビジョン放送受信装置１００では、不揮発性メモリ３１４に記憶された初期化フラグを用いて、初期化制御プログラム７００が、電源点灯部１５ａの点灯制御を行うと共に、ユーザの操作によって特定された機能ブロック（デバイス）に対して初期化処理をおこなう。なお、本実施の形態では、初期化する対象がデコーダデバイス３０４の場合について説明するが、デコーダデバイス３０４に限らず他の機能ブロックであっても良い。
【００４４】
図７に示す不揮発性メモリ３１４に記憶されている、初期化フラグは初期化を行う（行ったか）か否かを保持するフラグとする。初期化フラグの初期値は‘０’とし、‘０’であれば初期化を行わない（行われていない）ことを示し、‘１’であれば初期化を行う（行われた）ことを示す。
【００４５】
また、図３に示すように、デジタルテレビジョン放送受信装置１００は、ＣＰＵ３１３等の含む制御部３０６、デジタルテレビジョン放送受信装置１００において初期化処理を行う初期化制御プログラム７００が格納されたＲＯＭ３１１や当該処理装置のワーク領域となるＲＡＭ３１２等の記憶手段を備えている。そして、当該制御部３０６とＲＯＭ３１１に格納されたプログラムとの協働により、制御部３０６上で、図７に示すステータス取得部７０１と、カウンタ７０２と、時間判別部７０３と、フラグ設定部７０４と、点灯制御部７０５と、検出部７０６と、初期化部７０８との各機能部を実現する。
【００４６】
ステータス取得部７０１は、電源スイッチ１７、各種操作スイッチ１８及び受光部１６から入力される信号から、電源スイッチ１７及び各種操作スイッチ１８のステータス、及びリモートコントローラ５５０からの操作情報を取得する。電源スイッチ１７及び各種操作スイッチ１８のステータスとしては、“押下”されていること、又は“離された”（押下されていないこと）を示すステータス等とする。
【００４７】
カウンタ７０２は、電源スイッチ１７のステータスが“押下”になったことをトリガとして、カウントを開始し、当該ステータスが“離された”となるまでカウントを行う。
【００４８】
時間判別部７０３は、電源スイッチ１７が押下（入力）され続けている入力時間が、所定時間を経過したか否かを判別する。本実施の形態では、当該所定の時間を１０秒とする。つまり、押下されている時間を長時間にすることで、ユーザによる誤入力を抑止する。
【００４９】
フラグ設定部７０４は、時間判別部７０３の判別結果に基づいて、不揮発性メモリ３１４に格納されている初期化フラグを設定する。本実施の形態においては、時間判別部７０３が、入力時間が１０秒経過したと判別された場合に、初期化フラグに‘１’を設定する。
【００５０】
点灯制御部７０５は、入力時間が１０秒を経過したと判別された場合に、電源点灯部１５ａを消灯から緑に点灯するよう制御する。具体的には、点灯制御部７０５は、不揮発性メモリ３１４に格納された初期化フラグを参照し、初期化フラグが‘１’であれば、電源点灯部１５ａを緑に点灯するよう制御する。そして、検出部７０６から、電源スイッチ１７が離されたことを示す信号が入力された場合に、緑の点灯を終了する。
【００５１】
図８は、電源スイッチ１７を押し続けた場合の電源点灯部１５ａの点灯の変化を示した図である。図８に示す例では、すでに、デコーダデバイス３０４の操作が不能になっている場合を想定している。この場合において、リモートコントローラ５５０の電源ボタン５５１を一回押下したり、操作部３０の電源スイッチ１７を一回押下しても、デコーダデバイス３０４に電力が供給されているため、デコーダデバイス３０４の初期化を行うことができない。つまり、電源‘ＯＮ’による緑点灯状態８０１、待機状態による赤点灯状態８０２、及び電源‘ＯＦＦ’による消灯状態８０３のいずれの状態であっても、デコーダデバイス３０４の操作不能を修正することができない。
【００５２】
そこで、図８に示すように、緑点灯状態８０１、赤点灯状態８０２、及び消灯状態８０３に、操作部３０の電源ボタン５５１の押下８０４が開始される。押下した当初は、点灯制御部７０５により、電源点灯部１５ａの消灯制御８０５が行われる。そして、１０秒経過した後、点灯制御部７０５により、電源点灯部１５ａの緑点灯８０６が行われる。当該緑点灯は、デコーダデバイス３０４の初期化が行われることを意味する。これによりユーザが電源スイッチ１７を離した場合に、デコーダデバイス３０４に対する初期化が行われる。
【００５３】
これは、本実施の形態における、デジタルテレビジョン放送受信装置１００の初期化処理が、電話によるサポートサービスを考慮していることに基づく。つまり、デジタルテレビジョン放送受信装置１００が操作不能になったため、ユーザから電話による相談を受け付けた場合に初めて、サポートサービスの担当者が、電源スイッチ１７の押下を１０秒以上継続するよう、ユーザに指示する。そして、１０秒以上押下を続けた場合に、電源点灯部１５ａが消灯から緑点灯に変化することで、ユーザと担当者との間で状況（１０秒以上押下されたこと）の確認を容易に行うことができる。そして、担当者は、ユーザがその後電源スイッチ１７を離した場合に、確実にデコーダデバイス３０４が初期化されることが確認できる。
【００５４】
検出部７０６は、電源スイッチ１７が離されたの（押下の終了）を検出する。本実施の形態では、検出部７０６は、ステータス取得部７０１が取得した電源スイッチ１７のステータスが“離された”の場合に、電源スイッチ１７が離されたと判別する。そして、検出部７０６が、離されたと判別した場合に、点灯制御部７０５及び初期化部７０８に対して、その旨を出力する。
【００５５】
初期化部７０８は、入力時間が１０秒経過したと判別されるとともに、検出部７０６が入力の終了を検出した場合に、デコーダデバイス３０４に対する初期化処理を行う。本実施の形態では、検出部７０６から、電源スイッチ１７が離されたことを示す信号が入力された場合に、不揮発性メモリ３１４に格納された初期化フラグを参照し、初期化フラグが‘１’の場合に、デコーダデバイス３０４に初期化処理を行う。
【００５６】
デコーダデバイス３０４は、図示しないＡＳＩＣやＣＰＵ等を含み、ブート処理時にダイアログ表示を行うデコーダデバイスプログラム７５０が格納されたＲＯＭ等を備えており、当該ＡＳＩＣやＣＰＵ等とＲＯＭ３１１に格納されたプログラムとの協働により、表示制御部７５１を含む機能部を実現する。
【００５７】
表示制御部７５１は、ブート処理時において、デコーダデバイス３０４の前回の起動時の最後に初期化がおこなわれた場合、液晶表示パネル１３に対して、その旨を示すダイアログ（表示画面）を表示するように制御する。本実施の形態にかかる表示制御部７５１は、不揮発性メモリ３１４の初期化フラグを参照し、‘１’であれば、初期化したことを示すダイアログを表示するよう制御する。その後、表示制御部７５１は、初期化フラグを‘０’にする制御を行う。
【００５８】
図９は、表示制御部７５１により表示される初期化終了後の画面例を示す図である。図９に示すように、表示制御部７５１は、初期化終了した後の再起動時に、“デコーダデバイスを初期化しました（ＯＫボタンを押して下さい）”９０１とダイアログを表示する。これによりユーザはデコーダデバイス３０４の初期化が行われたことを確認できる。
【００５９】
次に、以上のように構成された本実施の形態にかかるデジタルテレビジョン放送受信装置１００における、電源スイッチ１７の押下が行われた場合の処理について説明する。図１０は、本実施の形態にかかるデジタルテレビジョン放送受信装置１００における上述した処理の手順を示すフローチャートである。
【００６０】
まず、ステータス取得部７０１は、電源スイッチ１７から入力される信号から、電源スイッチ１７のステータスを取得する（ステップＳ１００１）。
【００６１】
そして、カウンタ７０２が、取得した電源スイッチ１７のステータスが“押下”であるか判別する（ステップＳ１００２）。そして、“押下”ではないと判定された場合（ステップＳ１００２：Ｎｏ）、“押下”になるまでステップＳ１００１からの処理を繰り返す。
【００６２】
そして、カウンタ７０２が“押下”であると判定した場合（ステップＳ１００２：Ｙｅｓ）、カウントを開始する（ステップＳ１００３）。
【００６３】
それと共に、点灯制御部７０５が、電源点灯部１５ａの消灯制御を行う（ステップＳ１００４）。その後、ステータス取得部７０１が、電源スイッチ１７のステータスを取得する（ステップＳ１００５）。
【００６４】
そして、検出部７０６が、ステータス取得部７０１が取得した電源スイッチ１７のステータスが“離された”であるか否か判定する（ステップＳ１００６）。“離された”ではない（押下され続けている）と判定された場合（ステップＳ１００６：Ｎｏ）、時間判別部７０３は、カウンタ７０２によるカウントが１０秒経過したか否か判別する（ステップＳ１００７）。１０秒経過していないと判別された場合（ステップＳ１００７：Ｎｏ）には、再びステップＳ１００５から処理を開始する。
【００６５】
また、時間判別部７０３が１０秒経過したか否か判別した場合（ステップＳ１００７：Ｙｅｓ）には、フラグ設定部７０４は、初期化フラグを‘１’に設定する（ステップＳ１００８）。その後、点灯制御部７０５は、初期化フラグが‘１’であれば、電源点灯部１５ａを緑に点灯する制御を行う（ステップＳ１００９）。なお、電源点灯部１５ａは、初期化フラグを定期的に参照しているものとする。その後、ステップＳ１００５から処理を開始する。
【００６６】
一方、検出部７０６が、ステータス取得部７０１が取得した電源スイッチ１７のステータスが“離された”であると判定した場合（ステップＳ１００６：Ｙｅｓ）、カウンタ７０２は、カウントを停止する（ステップＳ１０１０）。
【００６７】
その後、初期化部７０８は、初期化フラグが‘１’であるか否かを判定する（ステップＳ１０１１）。初期化フラグが‘１’でないと判定した場合（ステップＳ１０１１：Ｎｏ）については特に処理を行わずに終了する。
【００６８】
一方、初期化部７０８は、初期化フラグが‘１’であると判定した場合（ステップＳ１０１１：Ｙｅｓ）、デコーダデバイス３０４に初期化を行う（ステップＳ１０１２）。具体的には、初期化部７０８は、本体電源回路３０７に対して、デコーダデバイス３０４に対する電源を停止する旨の電源制御信号を出力する。これにより、本体電源回路３０７の電源切替回路３２１は、当該電源制御信号の入力に伴い、デコーダデバイス３０４に対する電力の供給を停止する。これにより、デコーダデバイス３０４の初期化が行われる。
【００６９】
そして、点灯制御部７０５は、検出部７０６からの入力に従って、電源点灯部１５ａを消灯する（ステップＳ１０１３）。
【００７０】
上述した処理手順により、電源点灯部１５ａの点灯により、ユーザに対する初期化可能であることの通知と、デコーダデバイス３０４の初期化とを行うことができる。上述した処理で、電源切替回路３２１は、デコーダデバイス３０４に対する電力の供給を停止した後、一定の時間(例えば３秒)経過した後、再びデコーダデバイス３０４に電力を供給する。これにより、デコーダデバイス３０４のブート処理が開始される。当該処理と並列して、カウンタ７０２のカウンタクリア処理が行われる。
【００７１】
次に、以上のように構成された本実施の形態にかかるデジタルテレビジョン放送受信装置１００におけるデコーダデバイス３０４のブート時の処理について説明する。図１１は、本実施の形態にかかるデジタルテレビジョン放送受信装置１００における上述した処理の手順を示すフローチャートである。
【００７２】
まず、デコーダデバイス３０４は、既存のブート処理を行う（ステップＳ１１０１）。当該ブート処理において、デコーダデバイス３０４内のデコーダデバイスプログラム７５０も実行される。そして、実行されたデコーダデバイスプログラム７５０における、表示制御部７５１は、不揮発性メモリ３１４の初期化フラグを取得する（ステップＳ１１０２）。
【００７３】
そして、表示制御部７５１は、取得した初期化フラグが‘１’であるか否か判定する（ステップＳ１１０３）。初期化フラグが‘１’でない場合（ステップＳ１１０３：Ｎｏ）に、既存のブート処理のみで終了する。
【００７４】
一方、表示制御部７５１が、取得した初期化フラグが‘１’であると判定した場合（ステップＳ１１０３：Ｙｅｓ）、図９に示すような、デコーダデバイス３０４を初期化したことを示すダイアログを表示する（ステップＳ１１０４）。
【００７５】
その後、表示制御部７５１は、制御部３０６のステータス取得部７０１が取得した、リモートコントローラ５５０の操作情報に含まれているＯＫボタンのステータスを取得する（ステップＳ１１０５）。そして、表示制御部７５１は、当該ステータスが“押下”であるか否か判定する（ステップＳ１１０６）。“押下”でないと判定した場合（ステップＳ１１０６：Ｎｏ）、ダイアログの表示を継続し、再びステップＳ１１０５から処理を行う。
【００７６】
一方、表示制御部７５１は、ＯＫボタンのステータスが“押下”であると判定した場合（ステップＳ１１０６：Ｙｅｓ）、ダイアログを消去する制御を行う（ステップＳ１１０７）。その後、表示制御部７５１は、不揮発性メモリ３１４内の初期化フラグを‘０’に設定する（ステップＳ１１０８）。
【００７７】
上述した処理手順により、本実施の形態にかかるデジタルテレビジョン放送受信装置１００では、システム上でデコーダデバイスの初期化処理が実行(完了)されたことを表示するため、初期化されたことをユーザに確実に認識させることができる。
【００７８】
本実施の形態では、電源点灯部１５ａの点灯パターンとして、緑点灯の場合について説明したが、他の色による点灯でも良いし、所定の間隔で点滅等を行ってもよい。また、本実施の形態にかかるデジタルテレビジョン放送受信装置１００では、自装置の動作状態を示すインジケータとして、表示灯部１５が複数のＬＥＤによる点灯部を備えた例について説明した。しかしながら、本実施の形態は、機器の動作状態を示すインジケータを、上述した点灯部に制限するものではなく、例えばＬＣＤ（液晶表示パネル）など、あらゆる表示装置を含むものとする。また、本実施の形態においては、デジタルテレビジョン放送受信装置１００（自装置）の動作状態を示す表示灯部１５（インジケータ）の例について説明した。しかしながら、インジケータによる動作状態の表示対象は、自装置に制限されるものではなく、例えばネットワークを介して接続された装置や内蔵された装置など、どのような装置でもよい。
【００７９】
また、本実施の形態にかかるデジタルテレビジョン放送受信装置１００では、電源スイッチ１７を押下し続けた場合の処理が、初期化処理の場合について説明したが、初期化処理に制限するものではなく、例えば、装置本体の診断処理など、様々な処理を実行することが考えられる。
【００８０】
本実施の形態にかかるデジタルテレビジョン放送受信装置１００では、本体側の電源スイッチ１７を１０秒以上押下し続けることで、デコーダデバイス３０４が操作できなくなった場合でも、デコーダデバイス３０４を初期化することができる。特に、デジタルテレビジョン放送受信装置１００のように、コンセントを抜かないと本体全体の電力を停止できない装置については、コンセントを抜く必要がないため、作業負担を軽減することができる。また、所定時間以上押下し続けることが必要なので、ユーザによる誤操作を抑止できる。
【００８１】
そして、１０秒以上押下し続けた場合に、電源点灯部１５ａを緑色に点灯させることで、１０秒以上押下し続けたことをユーザに認識させることができる。これにより、デコーダデバイス３０４の初期化が行えるか否か確認できる。特に、サポートサービスの担当者との間の、状況の伝達が容易になる。
【００８２】
さらに本実施の形態にかかるデジタルテレビジョン放送受信装置１００では、デコーダデバイス３０４の初期化終了したあと、初期化したことをダイアログ表示することで、行われた処理を容易に確認できる。
【００８３】
また、本実施の形態にかかるデジタルテレビジョン放送受信装置１００では、液晶表示パネル１３ではなく、電源点灯部１５ａの点灯でユーザに通知をする。これにより、複雑な表示制御なども不要なため、他の機能ブロックが操作不能になった場合でも、確実に状況を通知することができる。さらに、液晶表示パネルなどを備えていない電子装置であっても、ＬＥＤなどの点灯部を備えるだけで、容易にユーザに対して状況を通知することができる。
【００８４】
（第２の実施の形態）
第１の実施の形態においては、初期化する対象がデコーダデバイス３０４のみの場合について説明した。しかしながら、初期化対象が複数存在しても良い。そこで、第２の実施の形態では、チューナデバイス３０３、デコーダデバイス３０４、及びＨＤＤコントローラ３３１を初期化対象とした場合について説明する。
【００８５】
図１２は、第２の実施の形態にかかるデジタルテレビジョン放送受信装置１００に含まれる任意の機能ブロック（デバイス）を初期化するためのソフトウェア構成（初期化制御プログラム）を示すブロック図である。
【００８６】
不揮発性メモリ３１４に記憶されている、初期化フラグは初期化を行う（行ったか）か否かを保持するフラグとする。初期化フラグの初期値は‘０’とし、‘０’であれば初期化が行わない（行われていない）ことを示し、‘１’であればデコーダデバイス３０４の初期化を行う（行われた）ことを示し、‘２’であればチューナデバイス３０３の初期化を行う（行われた）ことを示し、‘３’であればＨＤＤコントローラ３３１の初期化を行う（行われた）ことを示す。
【００８７】
ＲＯＭ３１１は、初期化管理テーブルを記憶する。図１３は、初期化管理テーブルのテーブル構造を示す図である。図１３に示すように初期化管理テーブルは、初期化フラグと、点灯色と、初期化対象とを対応付けて記憶する。点灯色は、電源点灯部１５ａを点灯させる際の色とする。初期化対象は、初期化する対象となる機能ブロックとする。当該対応付けにより、初期化フラグに応じて、電源点灯部１５ａの点灯する色、及び初期化する対象となる機能ブロックを特定できる。
【００８８】
デジタルテレビジョン放送受信装置１００は、ＣＰＵ３１３等の含む制御部３０６、デジタルテレビジョン放送受信装置１００において初期化処理を行う初期化制御プログラム１２００が格納されたＲＯＭ３１１や当該処理装置のワーク領域となるＲＡＭ３１２等の記憶手段を備えており、当該制御部３０６とＲＯＭ３１１に格納されたプログラムとの協働により、ステータス取得部７０１と、カウンタ７０２と、時間判別部１２０１と、フラグ設定部１２０２と、点灯制御部１２０３と、検出部７０６と、初期化部１２０４との各機能部を実現する。
【００８９】
図１２に示すように、初期化制御プログラム１２００は、上述した第１の実施の形態にかかる初期化制御プログラム７００とは、時間判別部７０３とは処理が異なる時間判別部１２０１に変更され、フラグ設定部７０４とは処理が異なるフラグ設定部１２０２に変更され、点灯制御部７０５とは処理が異なる点灯制御部１２０３に変更され、初期化部７０８とは処理が異なる初期化部１２０４に変更された構成を有している点で異なる。以下の説明では、上述した第１の実施の形態と同一の構成要素には同一の符号を付してその説明を省略している。
【００９０】
時間判別部１２０１は、電源スイッチ１７が押下（入力）され続けている入力時間が、所定時間を経過したか否かを判別する。本実施の形態では、当該所定の時間を１０秒、２０秒及び３０秒とする。
【００９１】
フラグ設定部１２０２は、時間判別部１２０１の判別結果に基づいて、不揮発性メモリ３１４に格納されている初期化フラグを設定する。本実施の形態においては、時間判別部１２０１が、入力時間が１０秒経過したと判別された場合に、初期化フラグに‘１’を設定する。また、時間判別部１２０１が、入力時間が２０秒経過したと判別された場合に、初期化フラグに‘２’を設定する。さらに、時間判別部１２０１が、入力時間が３０秒経過したと判別された場合に、初期化フラグに‘３’を設定する。
【００９２】
点灯制御部１２０３は、入力時間から所定時間経過したと判別される度に、電源点灯部１５ａの点灯する色を変更するよう制御する。そして、点灯制御部１２０３は、初期化フラグを参照し、初期化管理テーブルで当該初期化フラグと対応付けられている色で、電源点灯部１５ａが点灯するよう制御する。点灯制御部１２０３による当該制御は、検出部７０６から、電源スイッチ１７が離されたことを示す信号が入力されるまで行う。
【００９３】
初期化部１２０４は、検出部７０６が入力の終了を検出した場合に、入力時間に応じて、初期化対象となる機能ブロックを特定した上で、当該機能ブロックに対して初期化処理を行う。本実施の形態にかかる初期化部１２０４は、検出部７０６から、電源スイッチ１７が離されたことを示す信号が入力された場合に、不揮発性メモリ３１４に格納された初期化フラグを参照し、ＲＯＭ３１１の初期化管理テーブルにおいて、初期化フラグと対応付けられている初期化対象を参照し、初期化対象で示される機能ブロックに対して、初期化処理を行う。
【００９４】
チューナデバイス３０３は、図示しないＡＳＩＣやＣＰＵ等含み、ブート処理時にダイアログ表示を行うチューナデバイスプログラム１２５０が格納されたＲＯＭ等を備えており、当該ＡＳＩＣやＣＰＵ等とＲＯＭ３１１に格納されたプログラムとの協働により、表示制御部１２５１を含む機能部を実現する。
【００９５】
また、ＨＤＤコントローラ３３１においても同様に、ＨＤＤコントローラプログラム１２６０とＡＳＩＣ等との協働で、表示制御部を含む機能部（図示しない）を実現する。なお、ＨＤＤコントローラプログラム１２６０の表示制御部（図示しない）は、チューナデバイスプログラム１２６０の表示制御部１２５１等と同様の処理を行うものとして説明を省略する。
【００９６】
表示制御部７５１、１２５１によるダイアログの表示処理とは、具体的には生成したダイアログを表す画像情報を、制御部３０６に対して、出力すると共に、表示を行うよう指示することとする。そして、制御部３０６が、入力された画像情報を、グラフィック処理部３０５に出力する。これにより、ダイアログが含まれた画面情報が生成される。
【００９７】
次に、以上のように構成された第２の実施の形態にかかるデジタルテレビジョン放送受信装置１００における、電源スイッチ１７の押下が行われた場合の処理について説明する。図１４は、第２の実施の形態にかかるデジタルテレビジョン放送受信装置１００における上述した処理の手順を示すフローチャートである。
【００９８】
まずは、第１の実施の形態の図１０のステップＳ１００１〜Ｓ１００５と同様の処理を行い、ステータス取得部７０１による、電源スイッチ１７のステータスの取得までを行う（ステップＳ１４０１〜Ｓ１４０５）。
【００９９】
そして、検出部７０６が、ステータス取得部７０１が取得した電源スイッチ１７のステータスが“離された”であるか否か判定する（ステップＳ１４０６）。“離された”ではない（押下され続けている）と判定された場合（ステップＳ１４０６：Ｎｏ）、時間判別部１２０１は、カウンタ７０２によるカウントが３０秒経過したか否か判別する（ステップＳ１４０７）。
【０１００】
そして、時間判別部１２０１が３０秒経過したと判別した場合（ステップＳ１４０７：Ｙｅｓ）、フラグ設定部１２０２は、初期化フラグを‘３’に設定する（ステップＳ１４０８）。その後、点灯制御部７０５は、初期化フラグが‘３’であれば、電源点灯部１５ａを赤に点灯する制御を行う（ステップＳ１４０９）。その後、再びステップＳ１４０５から処理を開始する。
【０１０１】
一方、時間判別部１２０１が３０秒経過していないと判別した場合（ステップＳ１４０７：Ｎｏ）、カウンタ７０２によるカウントが２０秒経過したか否か判別する（ステップＳ１４１０）。
【０１０２】
そして、時間判別部１２０１が２０秒経過したと判別した場合（ステップＳ１４１０：Ｙｅｓ）、フラグ設定部１２０２は、初期化フラグを‘２’に設定する（ステップＳ１４１１）。その後、点灯制御部７０５は、初期化フラグが‘２’であれば、電源点灯部１５ａを青に点灯する制御を行う（ステップＳ１４１２）。その後、再びステップＳ１４０５から処理を開始する。
【０１０３】
一方、時間判別部１２０１が２０秒経過していないと判別した場合（ステップＳ１４１０：Ｎｏ）、カウンタ７０２によるカウントが１０秒経過したか否か判別する（ステップＳ１４１３）。
【０１０４】
そして、時間判別部１２０１が１０秒経過したと判別した場合（ステップＳ１４１３：Ｙｅｓ）、フラグ設定部１２０２は、初期化フラグを‘１’に設定する（ステップＳ１４１４）。その後、点灯制御部１２０３は、初期化フラグが‘１’であれば、電源点灯部１５ａを緑に点灯する制御を行う（ステップＳ１４１５）。その後、再びステップＳ１４０５から処理を開始する。
【０１０５】
一方、検出部７０６が、ステータス取得部７０１が取得した電源スイッチ１７のステータスが“離された”であると判定した場合（ステップＳ１４０６：Ｙｅｓ）、カウンタ７０２は、カウントを停止する（ステップＳ１４１６）。
【０１０６】
その後、初期化部１２０４は、初期化フラグが‘１’であるか否かを判定する（ステップＳ１４１７）。初期化フラグが‘１’であると判定した場合（ステップＳ１４１７：Ｙｅｓ）、デコーダデバイス３０４に初期化を行う（ステップＳ１４１８）。そして、点灯制御部１２０３は、検出部７０６からの入力に従って、電源点灯部１５ａを消灯して（ステップＳ１４２３）、終了する。
【０１０７】
一方、初期化部１２０４が、初期化フラグが‘１’でないと判定した場合（ステップＳ１４１７：Ｎｏ）、初期化フラグが‘２’であるか否かを判定する（ステップＳ１４１９）。初期化フラグが‘２’であると判定した場合（ステップＳ１４１９：Ｙｅｓ）、チューナデバイス３０３に初期化を行う（ステップＳ１４２０）。チューナデバイス３０３の初期化も、電源切替回路３２１による電力供給の停止とする。そして、チューナデバイス３０３の初期化の後、点灯制御部１２０３が、検出部７０６からの入力に従って、電源点灯部１５ａを消灯して（ステップＳ１４２３）、終了する。
【０１０８】
そして、初期化部１２０４が、初期化フラグが‘２’でないと判定した場合（ステップＳ１４１９：Ｎｏ）、初期化フラグが‘３’であるか否かを判定する（ステップＳ１４２１）。初期化フラグが‘３’であると判定した場合（ステップＳ１４２１：Ｙｅｓ）、ＨＤＤコントローラ３３１に初期化を行う（ステップＳ１４２２）。
【０１０９】
ＨＤＤコントローラ３３１の初期化は、制御部３０６からＨＤＤコントローラ３３１に対してリセット信号を出力することで強制的に初期化を行う。ＨＤＤコントローラ３３１はリセット信号受け付け用の端子を備えているため、制御が不能になった場合でも、強制的に初期化処理を行うことができる。このように、本実施の形態にかかるデジタルテレビジョン放送受信装置１００では、初期化手法を電源供給の制御に制限するものではなく、強制的に初期化できれば、いずれの手法を用いても良い。
【０１１０】
そして、ＨＤＤコントローラ３３１の初期化の後、点灯制御部１２０３が、検出部７０６からの入力に従って、電源点灯部１５ａを消灯して（ステップＳ１４２３）、終了する。
【０１１１】
一方、初期化部１２０４は、初期化フラグが‘３’でないと判定した場合（ステップＳ１４２１：Ｎｏ）については特に処理を行わずに終了する。
【０１１２】
上述した処理手順により、ユーザは、電源点灯部１５ａの点灯色で、初期化対象を確認した上で、当該初期化対象で示される機能ブロックの初期化を行うことができる。
【０１１３】
さらに、上述した処理で、電源切替回路３２１は、デコーダデバイス３０４又はチューナデバイス３０３に対する電力の供給を停止した後、一定の時間(例えば３秒)経過した後、再びデコーダデバイス３０４又はチューナデバイス３０３に電力を供給する。これにより、デコーダデバイス３０４又はチューナデバイス３０３のブート処理が開始される。当該処理と並列して、カウンタ７０２のカウンタクリア処理が行われる。
【０１１４】
また、ＨＤＤコントローラ３３１が初期化された場合、本体電源回路３０７による電力供給され続けているので、ＨＤＤコントローラ３３１によるブート処理が行われる。
【０１１５】
デコーダデバイス３０４のブート処理は、図１１と同様のため説明を省略する。次に、以上のように構成された本実施の形態にかかるデジタルテレビジョン放送受信装置１００におけるチューナデバイス３０３のブート時の処理について説明する。図１５は、本実施の形態にかかるデジタルテレビジョン放送受信装置１００における上述した処理の手順を示すフローチャートである。
【０１１６】
図１５に示すチューナデバイス３０３のブート時の処理は、図１１に示すデコーダデバイス３０４のブート時の処理と比べて、ステップＳ１１０３における、初期化フラグが‘１’であるか否かの判定の代わりに、表示制御部１２５１が、初期化フラグが‘２’であるか否かを判定し（ステップＳ１５０３）、ステップＳ１１０４における、デコーダデバイス３０４が初期化されたことを示すダイアログの表示の代わりに、表示制御部１２５１が、チューナデバイス３０３が初期化されたことを示すダイアログの表示を行う（ステップＳ１５０４）。他の処理ステップＳ１５０１〜Ｓ１５０２、Ｓ１５０５〜Ｓ１５０８については、図１１のステップＳ１１０１〜Ｓ１１０２、Ｓ１１０５〜Ｓ１１０８と同様の処理を行うものとして説明を省略する。なお、ＨＤＤコントローラ３３１の初期化も、初期化フラグ(初期化フラグが‘３’であるか否か)、及びダイアログに表示される内容のみがチューナデバイス３０３又はデコーダデバイス３０４の処理と異なり、他の処理は図１１又は図１５で示した処理と同様のため、説明を省略する。
【０１１７】
また、上述した実施の形態ではダイアログの表示制御を、各機能ブロックごとに、当該機能ブロックのブート処理の際に行っていたが、制御部３０６が、一括してダイアログを表示する制御を行ってもよい。
【０１１８】
このように、本実施の形態においては、電源スイッチ１７を押下している時間に応じて、初期化対象となる機能ブロックを変更すると共に、電源点灯部１５ａの点灯色を異ならせるとした。これにより、ユーザは、電源スイッチ１７を押下し続けている際に、電源点灯部１５ａの点灯色を確認することで、どの機能ブロックを初期化するのかを容易に認識することができる。
【０１１９】
これは、特に電話によるユーザサポートで有効である。ユーザサポートの担当者が、ユーザに対して、電源スイッチ１７の押下と、所定の点灯色になったとき離すようお願いすることで、特定の機能ブロックの初期化を容易にすることが可能となる。その際、ユーザの操作負担も少ないため、操作による誤りなどが生じにくい。また、操作による誤りが生じた場合でも、ユーザが担当者に電源点灯部１５ａの点灯色を伝えるだけで、担当者は、どのような操作が行われたのかを特定できる。
【０１２０】
さらに、担当者は、電話による指示で、ユーザの操作による、特定の機能ブロックの初期化が行えるため、不具合が生じた機能ブロックを特定できる。これにより、不具合の存在する機能ブロックの特定と、当該機能ブロックで生じた不具合の修正とが容易になる。
【０１２１】
なお、上述した実施の形態のデジタルテレビジョン放送受信装置で実行される初期化制御プログラムは、ＲＯＭ等に予め組み込まれて提供される。
【０１２２】
上述した実施の形態のデジタルテレビジョン放送受信装置で実行される初期化制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１２３】
さらに、上述した実施の形態のデジタルテレビジョン放送受信装置で実行される初期化制御プログラムを、インターネット等のネットワークに接続されたコンピュータ上に格納し、ネットワーク経由でダウンロードさせることにより提供するように構成しても良い。また、上述した実施の形態のデジタルテレビジョン放送受信装置で実行される初期化制御プログラムをインターネット等のネットワーク経由で提供または配布するように構成しても良い。
【０１２４】
本実施の形態のデジタルテレビジョン放送受信装置で実行される初期化制御プログラムは、上述した各部（ステータス取得部と、カウンタと、時間判別部と、フラグ設定部と、点灯制御部と、検出部と、初期化部）を含むモジュール構成となっており、実際のハードウェアとしてはＣＰＵ（プロセッサ）が上記ＲＯＭから初期化制御プログラムを読み出して実行することにより上記各部が主記憶装置上にロードされ、ステータス取得部と、カウンタと、時間判別部と、フラグ設定部と、点灯制御部と、検出部と、初期化部が主記憶装置上に生成されるようになっている。
【０１２５】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１２６】
１００  デジタルテレビジョン放送受信装置
１１  キャビネット
１２  スタンド
１３  液晶表示パネル
１４ａ  右側スピーカ
１４ｂ  左側スピーカ
１５  表示灯部
１５ａ  電源点灯部
１５ｂ  録画／ダビング点灯部
１５ｃ  ハードディスク点灯部
１５ｄ  オンタイマー点灯部
１６  受光部
１７  電源スイッチ
１８  各種操作スイッチ
１８ａ  チャンネルボタン
１８ｂ  音量ボタン
１８ｃ  入力切替ボタン
１８ｄ  放送切替ボタン
３０  操作部
３０１  アンテナ
３０２  入力端子
３０３  チューナデバイス
３０４  デコーダデバイス
３０５  グラフィック処理部
３０６  制御部
３０７  本体電源回路
３０８  ＨＤＤ
３０９  音声処理部
３１１  ＲＯＭ
３１２  ＲＡＭ
３１３  ＣＰＵ
３１４  不揮発性メモリ
３２１  電源切替回路
３３１  ＨＤＤコントローラ
５５０  リモートコントローラ
５５１  電源ボタン
７００、１２００  初期化制御プログラム
７０１  ステータス取得部
７０２  カウンタ
７０３、１２０１  時間判別部
７０４、１２０２  フラグ設定部
７０５、１２０３  点灯制御部
７０６  検出部
７０８、１２０４  初期化部
７５０  デコーダデバイスプログラム
７５１、１２５１  表示制御部
１２５０  チューナデバイスプログラム
１２６０  ＨＤＤコントローラプログラム
【図１】
2010206325.tif 000003
【図２】
2010206325.tif 000004
【図３】
2010206325.tif 000005
【図４】
2010206325.tif 000006
【図５】
2010206325.tif 000007
【図６】
2010206325.tif 000008
【図７】
2010206325.tif 000009
【図８】
2010206325.tif 000010
【図９】
2010206325.tif 000011
【図１０】
2010206325.tif 000012
【図１１】
2010206325.tif 000013
【図１２】
2010206325.tif 000014
【図１３】
2010206325.tif 000015
【図１４】
2010206325.tif 000016
【図１５】
2010206325.tif 000017
【手続補正書】
【提出日】平成22年4月12日(2010.4.12)
【手続補正１】
【補正対象書類名】明細書
【補正対象項目名】００１１
【補正方法】変更
【補正の内容】
【００１１】
上述した課題を解決し、目的を達成するために、本発明にかかる電子装置は、任意の装置の動作状態を示すインジケータと、利用者からの入力を受け付けるスイッチと、前記スイッチに対する入力を受け続けている入力時間が、第１の所定時間を経過したか否かの判別と、前記入力時間が、前記第１の所定時間より時間が長い第２の所定時間を経過したか否かの判別と、を行う時間判別手段と、前記入力時間が第１の所定時間を経過したと判別された場合に、前記インジケータを第１の点灯パターンで点灯し、前記入力時間が第２の所定時間を経過したと判別された場合に、前記インジケータを第２の点灯パターンで点灯するよう制御する点灯制御手段と、前記スイッチに対する入力の終了を検出する検出手段と、前記第１の所定時間以上で前記第２の所定時間より短い前記入力時間で、前記検出手段が前記スイッチの入力の終了を検出した場合に前記第１の処理を行い、前記第２の所定時間以上の前記入力時間で、前記検出手段が前記スイッチの入力の終了を検出した場合に、予め定められた第２の処理を行う処理手段と、を備えることを特徴とする。
【手続補正２】
【補正対象書類名】明細書
【補正対象項目名】００１２
【補正方法】変更
【補正の内容】
【００１２】
また、本発明にかかる制御方法は、電子装置で実行される制御方法であって、電子装置は、任意の装置の動作状態を示すインジケータと、利用者からの入力を受け付けるスイッチと、を備え、時間判別手段が、前記スイッチに対する入力を受け続けている入力時間が、第１の所定時間を経過したか否かの判別と、前記入力時間が、前記第１の所定時間より時間が長い第２の所定時間を経過したか否かの判別と、を行う時間判別ステップと、点灯制御手段が、前記入力時間が第１の所定時間を経過したと判別された場合に、前記インジケータを第１の点灯パターンで点灯し、前記入力時間が第２の所定時間を経過したと判別された場合に、前記インジケータを第２の点灯パターンで点灯するよう制御する点灯制御ステップと、検出手段が、前記スイッチに対する入力の終了を検出する検出ステップと、処理手段が、前記第１の所定時間以上で前記第２の所定時間より短い前記入力時間で、前記検出手段が前記スイッチの入力の終了を検出した場合に前記第１の処理を行い、前記第２の所定時間以上の前記入力時間で、前記検出手段が前記スイッチの入力の終了を検出した場合に、予め定められた第２の処理を行う処理ステップと、を含むことを特徴とする。
【手続補正３】
【補正対象書類名】明細書
【補正対象項目名】００１３
【補正方法】変更
【補正の内容】
【００１３】
本発明によれば、スイッチの入力が続けられている場合に、入力時間に応じて点灯パターンを異ならせることで、実行される処理をユーザに認識させることができるという効果を奏する。
【手続補正４】
【補正対象書類名】特許請求の範囲
【補正対象項目名】全文
【補正方法】変更
【補正の内容】
【特許請求の範囲】
【請求項１】
任意の装置の動作状態を示すインジケータと、
利用者からの入力を受け付けるスイッチと、
前記スイッチに対する入力を受け続けている入力時間が、第１の所定時間を経過したか否かの判別と、前記入力時間が、前記第１の所定時間より時間が長い第２の所定時間を経過したか否かの判別と、を行う時間判別手段と、
前記入力時間が第１の所定時間を経過したと判別された場合に、前記インジケータを第１の点灯パターンで点灯し、前記入力時間が第２の所定時間を経過したと判別された場合に、前記インジケータを第２の点灯パターンで点灯するよう制御する点灯制御手段と、
前記スイッチに対する入力の終了を検出する検出手段と、
前記第１の所定時間以上で前記第２の所定時間より短い前記入力時間で、前記検出手段が前記スイッチの入力の終了を検出した場合に前記第１の処理を行い、前記第２の所定時間以上の前記入力時間で、前記検出手段が前記スイッチの入力の終了を検出した場合に、予め定められた第２の処理を行う処理手段と、
を備えることを特徴とする電子装置。
【請求項２】
前記スイッチは、前記電子装置に電力の供給の有無を切り替える電源スイッチであり、
前記処理手段が行う前記第１の処理は、前記電子装置に含まれている機能ブロックに対する初期化処理であること、
を特徴とする請求項１に記載の電子装置。
【請求項３】
前記処理手段が前記第１の処理をおこなった後、表示部に対して、前記第１の処理を行ったことを表す表示画面の表示制御を行う表示制御手段を、
さらに備えることを特徴とする請求項１又は２に記載の電子装置。
【請求項４】
前記時間判別手段が判断の基準として用いる前記第１の所定時間が１０秒以上であること、
を特徴とする請求項１乃至３のいずれか一つに記載の電子装置。
【請求項５】
電子装置で実行される制御方法であって、
電子装置は、任意の装置の動作状態を示すインジケータと、利用者からの入力を受け付けるスイッチと、を備え、
時間判別手段が、前記スイッチに対する入力を受け続けている入力時間が、第１の所定時間を経過したか否かの判別と、前記入力時間が、前記第１の所定時間より時間が長い第２の所定時間を経過したか否かの判別と、を行う時間判別ステップと、
点灯制御手段が、前記入力時間が第１の所定時間を経過したと判別された場合に、前記インジケータを第１の点灯パターンで点灯し、前記入力時間が第２の所定時間を経過したと判別された場合に、前記インジケータを第２の点灯パターンで点灯するよう制御する点灯制御ステップと、
検出手段が、前記スイッチに対する入力の終了を検出する検出ステップと、
処理手段が、前記第１の所定時間以上で前記第２の所定時間より短い前記入力時間で、前記検出手段が前記スイッチの入力の終了を検出した場合に前記第１の処理を行い、前記第２の所定時間以上の前記入力時間で、前記検出手段が前記スイッチの入力の終了を検出した場合に、予め定められた第２の処理を行う処理ステップと、
を含むことを特徴とする制御方法。